(57)【要約】      （修正有）【課題】比較的簡単な作業で、一定品質の手作り葉書等を製造することができ、動力として一般家庭にある機器を利用する新規な手作りシート作製用の紙漉き装置を提供する。【解決手段】手作りシート作製用の紙漉き装置Ａは、漉き箱と、気水分離チャンバと、作動配管とを有し、吸引手段を作用させてシート状製品を得る。吸引手段の吸引作動管が気水分離チャンバに接続され、気水分離チャンバと漉き箱とは、排水管によって連通し、気水分離チャンバ内における排水管の接続部である漉き水回収孔と吸気孔との間には、気水分離体が設けられている。【選択図】図１
0003156039.tif 000002
【実用新案登録請求の範囲】
【請求項１】
機枠に対し、漉き箱と、気水分離チャンバと、作動配管とを設け、前記漉き箱に気水分離チャンバを介して吸引手段を作用させ、これにより漉き箱中の原料液から漉き水を排除して、漉き箱中に設けた漉き網上に紙原料成分をウェブ状に漉き出し、これを乾燥させてシート製品を得る装置において、
前記吸引手段は、負圧吸引により間接的に漉き水の排除を行うものであり、この吸引手段からの吸引作動管が前記気水分離チャンバに接続され、この気水分離チャンバと漉き箱とは、漉き水を排除する排水管とによって連通し、気水分離チャンバ内における排水管の接続部である漉き水回収孔と吸気孔との間には、気水分離体が設けられていることを特徴とする手作りシート作製用の紙漉き装置。
【請求項２】
前記吸引手段は、真空掃除機を用いることを特徴とする請求項１記載の手作りシート作製用の紙漉き装置。
【請求項３】
前記気水分離チャンバには漉き水を残留させるものであり、この残留した漉き水は、次工程の原料液の希釈に用いるために漉き箱に戻すように供給されるものであることを特徴とする請求項１または２記載の手作りシート作製用の紙漉き装置。
【請求項４】
前記気水分離チャンバには、残留させる漉き水の水量を設定する水位設定孔が設けられ、且つこの水位設定孔には、吸引手段による吸引作用時には閉鎖状態を保つチェックバルブを適用した水位設定弁が設けられていることを特徴とする請求項３記載の手作りシート作製用の紙漉き装置。
【請求項５】
前記気水分離チャンバには、吸引作動管を介して気水分離セイフティーチャンバが接続されていることを特徴とする請求項１、２、３または４記載の手作りシート作製用の紙漉き装置。
【請求項６】
前記気水分離セイフティーチャンバは、機枠における機枠材間スペースに設けられていることを特徴とする請求項５記載の手作りシート作製用の紙漉き装置。
【考案の詳細な説明】
【技術分野】
【０００１】
本考案は、例えば牛乳パック等を再利用して、葉書、名刺等のカードや、更に大判のＡ３、Ａ４版等のシートを手作りする場合に用いることが適切な、手作りシート作製用の紙漉き装置に関するものである。
【背景技術】
【０００２】
牛乳パック等の原料紙は、その性質上良質なパルプ素材が用いられており、資源の有効利用の視点からその回収が促されている。この視点を更に進めて積極的にこのものを再利用する試みとして、牛乳パックのパルプ素材を再度解繊し、手作りの葉書等を漉き出すことも趣味等の一環としてなされている。このようなクラフトワークは、心身にハンディのある人の作業所、授産施設等における作業テーマとしても適しており、多くの施設で牛乳パックを再利用した製品の製作に取り組んでいる。このような作業施設は、それぞれの施設の製品として、これら牛乳パックを再利用した絵葉書等を販売し、収益の一助とするとともに、作業所活動の啓発の一環としている。
【０００３】
このような場合、単に自ら作製した作品としての満足ももとよりであるが、一般市民を対象とした商品であることを考慮すると、必然的に一定の品質が要求される。多くの場合作業者のスキルや訓練の継続によって充分品質上の要求に応え得る製品が生み出されている。しかしながら、作業者の障がいの程度によっては所期の品質が得られず、結果的に個々の作業者の自信や意欲を削ぐ結果ともなる。このように作業者の作った作品を商品として位置づけがたために生じてしまうこのような状況は、作業所の本質からすると、願わくは回避すべきものであって、そのためには一部技巧を要する工程を機械操作に委ねることも一案である。しかしながら現状では、このような手作り作業を主体としながらも一部工程を簡易的な機械化支援する適切な装置はない。
【０００４】
加えて、この種の紙漉き作業そのものは、製紙工程の原理的理解に充分役立つものであって、児童生徒等の科学学習の一環として極めて有効である。そして、この紙漉き作業の原理を確認できる簡易な装置が実現すれば、その活用により児童、生徒に対し科学的興味や、いわゆるものづくりへの意欲を涵養することが期待できるものである。
【０００５】
もちろんこのような手作りカードやシートを簡易に作製するために家庭用の真空掃除機を利用し、原料液中の漉き水を積極排除する器具についても提案がされている（特許文献１）。
しかしながらこの従来手法にあっては、上述のように使い勝手の向上や、作業者の技術の功拙に拘りなく、紙漉きが一定の品質を保って行うことができるようにするための工夫は充分ではない。
【先行技術文献】
【特許文献】
【０００６】
【特許文献１】特開２００６−２４１６５０号公報
【考案の概要】
【考案が解決しようとする課題】
【０００７】
本考案は、これらの種々の背景を考慮してなされたものであって、比較的簡単で定型的な作業を正確に行いさえすれば、一定品質の手作り葉書等が製造することができ、加えて、作動原理が身近な装置を介して理解できるように、その動力として一般家庭にある機器を利用することを前提とした新規な手作りシート作製用の紙漉き装置の開発を試みたものである。
【課題を解決するための手段】
【０００８】
請求項１記載の手作りシート作製用の紙漉き装置は、機枠に対し、漉き箱と、気水分離チャンバと、作動配管とを設け、前記漉き箱に気水分離チャンバを介して吸引手段を作用させ、これにより漉き箱中の原料液から漉き水を排除して、漉き箱中に設けた漉き網上に紙原料成分をウェブ状に漉き出し、これを乾燥させてシート製品を得る装置において、前記吸引手段は、負圧吸引により間接的に漉き水の排除を行うものであり、この吸引手段からの吸引作動管が前記気水分離チャンバに接続され、この気水分離チャンバと漉き箱とは、漉き水を排除する排水管とによって連通し、気水分離チャンバ内における排水管の接続部である漉き水回収孔と吸気孔との間には、気水分離体が設けられていることを特徴として成るものである。
【０００９】
請求項２記載の手作りシート作製用の紙漉き装置は、前記請求項１記載の要件に加え、前記吸引手段については、真空掃除機を用いることを特徴として成るものである。
【００１０】
請求項３記載の手作りシート作製用の紙漉き装置は、前記請求項１または２記載の要件に加え、前記気水分離チャンバには漉き水を残留させるものであり、この残留した漉き水は、次工程の原料液の希釈に用いるために漉き箱に戻すように供給されるものである
ことを特徴として成るものである。
【００１１】
請求項４記載の手作りシート作製用の紙漉き装置は、前記請求項３記載の要件に加え、前記気水分離チャンバには、残留させる漉き水の水量を設定する水位設定孔が設けられ、且つこの水位設定孔には、吸引手段による吸引作用時には閉鎖状態を保つチェックバルブを適用した水位設定弁が設けられていることを特徴として成るものである。
【００１２】
請求項５記載の手作りシート作製用の紙漉き装置は、前記請求項１、２、３または４記載の要件に加え、前記気水分離チャンバには、吸引作動管を介して気水分離セイフティーチャンバが接続されていることを特徴として成るものである。
【００１３】
請求項６記載の手作りシート作製用の紙漉き装置は、前記請求項５記載の要件に加え、前記気水分離セイフティーチャンバについては、機枠における機枠材間スペースに設けられていることを特徴として成るものである。
【考案の効果】
【００１４】
まず請求項１記載の考案によれば、原材料の調製や、紙漉き後の乾燥等を手作業で行いながらも、技巧を要する漉き出しにあたっては、シートを漉き出す際の原料液からの水分除去を空気吸引によって行い、均質な漉き出しを可能とする。この際作用吸気と吸い出された漉き水とを気水分離チャンバにおいて確実に分離させることができる。
【００１５】
また請求項２記載の考案によれば、紙漉きの主要動作を行わせるために吸引手段として家庭等で比較的馴染みのある真空掃除機を用いることから作動原理の理解がし易く、児童、生徒等に科学的な興味を持たせることができる。
【００１６】
また請求項３記載の考案によれば、気水分離チャンバに漉き水を残留させるとともに、この残留した漉き水は、次工程の原料液の調整に用いるものであり、漉き水の循環使用ができることから水を無駄に使わず、水資源の有効利用が達成できる。
【００１７】
また請求項４記載の考案によれば、気水分離チャンバに一定量の漉き水を残留させるものであり、これを次工程において循環使用するにあたっては、適切な量の水を供給することができる。
【００１８】
また請求項５記載の考案によれば、気水分離チャンバの後段に気水分離セイフティーチャンバが接続されており、これにより、更に確実に漉き水が吸引手段側に吸引されてしまう事態を回避する。
【００１９】
また請求項６記載の考案によれば、気水分離セイフティーチャンバは機枠の幅寸法のわずかな空間を利用して設けられており、装置全体をコンパクトな形態としている。
【図面の簡単な説明】
【００２０】
【図１】本願考案の手作りシート作製用の紙漉き装置の斜視図である。
【図２】本願考案の手作りシート作製用の紙漉き装置の骨格図である。
【図３】本願考案の手作りシート作製用の紙漉き装置における漉き箱の斜視図である。
【図４】同上縦断側面図である。
【図５】本願考案の気水分離チャンバの縦断側面図である。
【図６】本願考案の気水分離セイフティーチャンバの縦断側面図である。
【図７】本願考案の手作りシート作製用の紙漉き装置による作業手順を示す説明図である。
【考案を実施するための形態】
【００２１】
本考案を実施するための形態は、以下述べる実施例をその一つとするものであるとともに、この技術思想に基づく種々の改良した実施例も含むものである。
【実施例１】
【００２２】
以下、本考案を図示の実施例に基づいて具体的に説明する。
本考案の手作りシート作製用の紙漉き装置Ａは、図１、２に示すように、大別すると、各種機材を支持する機枠１と、紙漉き作業を直接担う漉き箱２と、紙漉き時において漉き水Ｌ０を吸い出す経路途中に設けられる気水分離チャンバ３と、それに連なる気水分離セイフティーチャンバ４と、紙漉き作用の作動源となる負圧吸引を行う吸引手段５と、漉き水Ｌ０の排水を受ける脱水容器６と、更にこれらの作業を行わせるための作動配管７とを主要部材とする。
【００２３】
まず機枠１について述べると、例えばこの種の装置が学校・科学教育啓発施設、障がい者作業所等で使用されることを考慮すると、いわゆる装置自体の親しみ易さ等から、例えば木製の機枠１なども好ましい。もちろん強度、耐久性等を考慮してアルミ型材などの適宜の金属素材を用いることももとより差し支えない。
この機枠１は、側面視ほぼ台形状の側部機枠１０が左右対向的に一対設けられ、これらをその間に設けられる棚部１１によって一体化してなる枠台状部材である。棚部１１は、一例として上棚１１Ａ、中間の作業棚１１Ｂ、下段の下棚１１Ｃを有する。なお側部機枠１０の対向する脚部素材の素材幅により構成されるスペースを機枠材間スペース１２とする。なおこの部分を利用して、後述する気水分離セイフティーチャンバ４を設けることが好ましい。
【００２４】
このような機枠１に対し、漉き箱２が作業棚１１Ｂ上に設けられる。この漉き箱２は、図３、４に示すように排水基箱２１と、その上方に密に重ねられるように設置される投入容器２２とを主要部材として構成される。この両者は、後方（奥側）のヒンジ２３を介して接続され、排水基箱２１に対し、投入容器２２が開放自在に取り付けられるものであって、両者の間にはパッキン２４が設けられ、両者の接触部位での水密性を保つものである。
また排水基箱２１には、漉き網２５が設けられるとともに、前記ヒンジ２３に対向する手前側にはクランプ２６が設けられ、投入容器２２が排水基箱２１上に密着した状態で設置されるように構成される。
この漉き網２５は、図３に示すように葉書サイズのカード状のシートを漉き出す場合には、網部に仕切りを具備せず網面全面を利用する葉書用漉き網２５ａを用いる。一方名刺サイズのカード状のシートを漉き出す場合には、網部に仕切り２５ｄを設け、全面を四分割にした名刺用漉き網２５ｂを用いる。なお、漉き出すシートのサイズについては、特に制限はないが、実用上例えばＡ３判程度のシートも充分可能である。
更に漉き箱２の排水基箱２１側には、排水口２７が設けられる。この排水口２７には、前記作動配管７の一つである漉き水抜き管７０が接続され、この漉き水抜き管７０は、次に述べる気水分離チャンバ３に至る。
【００２５】
次に気水分離チャンバ３について説明する。気水分離チャンバ３は、機枠１における上棚１１Ａを利用して設けられているものであって、容器状のチャンバ本体３１の側面に漉き水回収孔３２を開口させ、ここに前記漉き水抜き管７０の一端を接続させる。
更に、チャンバ本体３１には、吸気孔３３が設けられ、ここに作動配管７のうちの吸引作動管７６の一端が接続される。このチャンバ本体３１における漉き水回収孔３２と吸気孔３３との間には、平板状の気水分離体３４が設けられる。またチャンバ本体３１の側面には、水位設定孔３５が設けられ、その外側には水位設定弁３６が設けられる。この水位設定弁３６は、チャンバ本体３１内が前記吸気孔３３からの負圧吸引がされているときには、チャンバ本体３１の側面に密着し漉き水Ｌ０の流失を阻むとともに、吸気孔３３の負圧吸引がなくなった場合には、チャンバ本体３１内に漉き水Ｌ０が充分存在している場合には、その水圧を受けて漉き水Ｌ０を外部に流出させるような、チェックバルブとしての作用を具える。そして、水位設定弁３６の外側には、排除される漉き水Ｌ０を受け止めるドレントラフ３７が設けられている。このドレントラフ３７には、ドレン孔３８が開口し、このドレン孔３８からは、脱水容器６に向かうドレン管７３が設けられる。更にチャンバ本体３１の下方には漉き水戻し口３９を開口させる。
【００２６】
次に前記気水分離チャンバ３に接続されている吸引作動管７６の上流側に設けられる気水分離セイフティーチャンバ４について説明する。
このものは、一例として機枠１により形成される幅が扁平な機枠材間スペース１２を利用して設けられている。気水分離セイフティーチャンバ４をこのような位置に設けたのは、スペースの有効利用と、レイアウト上、複雑化することを避けるためである。気水分離セイフティーチャンバ４のセイフティーチャンバ本体４１には、前記吸引作動管７６が接続される吸込孔４２と、吸引原管７５に接続される吸出孔４３とを具え、その間に分離板４５が上方から垂れ下がるように板状仕切り部材として設けられている。更にその側面には、ドレン孔４６が設けられ、このものには、作動弁装置Ｖのうちの排出弁Ｖ２が設けられ、更にその先端は脱水容器６に至るものである。
【００２７】
そして、気水分離セイフティーチャンバ４に対して吸引原管７５を介して、吸引手段５としての例えば家庭用電気掃除機等を接続させる。なおこのような身近な素材で構成したことは、これに接する児童生徒等にいわゆるものづくりに対する興味を、身近な印象を伴って与える点で好ましく、また導入するにあたっての装置のコストを抑える点でも好ましいからである。もちろん専用の真空ポンプを用いることももとより差し支えない。
更に既に述べたように気水分離チャンバ３、あるいは気水分離セイフティーチャンバ４からの排水を受ける脱水容器６が例えば機枠１の下棚１１Ｃあるいは装置周辺の床等に設けられる。
【００２８】
次に作動配管７について説明する。既に一部説明した部材もあるが、まず作動配管７のうち漉き水抜き管７０は、前記漉き箱２と気水分離チャンバ３とを接続させるものであり、パルプ成分が漉き出された漉き水Ｌ０を回収するためのものである。
更に剰水排除管７１は、気水分離チャンバ３におけるドレントラフ３７から前記脱水容器６に至るものであり、気水分離チャンバ３のチャンバ本体３１に吸引されてきた漉き水Ｌ０のうち剰余分を脱水容器６に回収するための配管である。更に気水分離チャンバ３と前記漉き箱２との間には、希釈液戻し管７２が設けられるものであり、その間に希釈弁Ｖ１が設けられる。このことから理解できるように、気水分離チャンバ３内に残留した漉き水Ｌ０は、再度漉き箱２に戻り、原料液Ｌの調製に用いられる。
更に気水分離セイフティーチャンバ４からは、ドレン管７３が引き出されるものであり、その間に排出弁Ｖ２を具え、ここから排出される漉き水Ｌ０は、脱水容器６に回収される。
【００２９】
一方このような漉き水Ｌ０の移動等を図るための負圧空気の流れについて述べる。前記気水分離セイフティーチャンバ４に対しては、吸引手段５たる家庭用掃除機の吸引管である吸引原管７５が吸出孔４３に接続される。一方吸引作動管７６が気水分離セイフティーチャンバ４の吸込孔４２から気水分離チャンバ３の吸気孔３３に接続されている。
【００３０】
本考案の手作りシート作製用の紙漉き装置Ａは、以上述べたような構成を基本的な構成とするものであり、以下この作用態様について説明する。
【００３１】
〈１．原料液Ｌの調製〉
原料液Ｌは、例えば牛乳パック等のバージンパルプ成分を充分含んだ素材を解繊して用いるものであり、適宜の量を容器に対し貯留する。
なおここで原料液Ｌあるいは原料液Ｌ中の紙原料成分等の用語の定義について説明する。まず原料液Ｌは、漉き水Ｌ０と紙原料成分Ｐ０を含んだ原料を総称するものである。更に詳しくは、一定濃度の紙原料成分Ｐ０を含んで準備されている原料準備液Ｌ１と、これに対して、漉き箱２内に投入されて紙漉きを受ける際に適した濃度となった希釈原料液Ｌ２とを総称するものである。そして、水成分を漉き水Ｌ０とし、紙原料成分をＰ０とするほか、漉き出された状態のものを紙質ウェブＰ１とし、このものが乾燥して製品の状態となったものをシート状製品Ｐとする。またシート状製品Ｐについては、後述するようにカード状の葉書用シートＰａとカード状の名刺用シートＰｂ等が作られる。
【００３２】
〈２．希釈原料液Ｌ２の準備等〉
まず適宜の定量カップＣで一定量すくい上げられて準備された原料準備液Ｌ１を、漉き箱２内に投入する（図７（ａ）（ｂ）参照）。このとき漉き箱２は、排水基箱２１上に漉き網２５が設けられた状態でその上方の投入容器２２は、クランプ２６により排水基箱２１に対して密着状態を保っている。なおこの時に用いる漉き網２５については、適宜交換自在にすることが好ましい。即ち葉書用シートＰａのサイズのもの、あるいは名刺用シートＰｂのサイズのもの等を選択できるようにする。
特に名刺用シートＰｂを漉き出すには、サイズが小さいこともあって、既に述べたように一枚の漉き網２５に対して、一回４枚程度を一挙に漉き出すサイズとしておくことが好ましい。
【００３３】
このような状態で原料準備液Ｌ１を投入した場合、漉き出しにあたっては、幾分か紙原料成分Ｐ０の濃度が高いこともあり、適切な希釈状態とする。このため、前記気水分離チャンバ３における漉き水回収孔３２から連なる希釈液戻し管７２の途中に設けられている希釈弁Ｖ１を開放させる。これにより、気水分離チャンバ３に前工程で残留していた漉き水Ｌ０を再度漉き箱２に戻すようにして回収する（図７（ｃ）参照）。
この状態で、漉き箱２内において希釈原料液Ｌ２が得られ、適宜作業者が棒状乃至はヘラ状の撹拌具等で漉き箱２内の希釈原料液Ｌ２を充分撹拌する（図７（ｄ）参照）。
【００３４】
〈３．漉き出し〉
このように準備した後、図７（ｅ）に示すように吸引手段５により漉き出しを行う。これは、家庭用真空掃除機が適用された吸引手段５を起動させ、負圧吸引を行い、気水分離セイフティーチャンバ４から吸引作動管７６を経て気水分離チャンバ３内を負圧状態とし、これにより一挙に前記漉き箱２における排水基箱２１の下方を負圧状態とし、漉き水Ｌ０を吸引する。この結果、漉き水Ｌ０は、気水分離チャンバ３内に吸引されてくる。このとき気水分離チャンバ３のチャンバ本体３１の側面に設けられている水位設定弁３６については、チャンバ本体３１内が負圧状態に保たれていることから、チャンバ本体３１の側面に密着し、水位設定孔３５を閉鎖状態に維持している。これにより漉き箱２から気水分離チャンバ３内に流入してくる漉き水Ｌ０がドレントラフ３７に排除されることが防止されている。
【００３５】
また気水分離チャンバ３におけるチャンバ本体３１内においては、図５に示すようにその側面から吸引がされた場合であっても、チャンバ本体３１内に回収されてくる漉き水Ｌ０は、気水分離体３４に阻まれて下方から順に貯留されるようになり、気水分離チャンバ３に接続されている吸引作動管７６に対して水分が吸入されることはほとんどない状態に設定されている。もちろん一部吸引された場合であってもこのものは、次の気水分離セイフティーチャンバ４にまず至るものであり、吸引手段５に直接吸引されることはない。
なお吸引手段５が停止した場合には、図７（ｆ）に示すように水位設定弁３６が開放状態となり、水位設定孔３５より高いレベルでの漉き水Ｌ０がドレン孔３８から排出し、脱水容器６に貯留される。
また気水分離セイフティーチャンバ４内においても、同様の作用のもとに分離板４５の存在により仮に吸引作動管７６に一部水分が混じった場合であっても、直ちに吸引原管７５に至ることがなく、吸引手段５の作動に支障が生じることはない。従って、実質的には、気水分離セイフティーチャンバ４内に漉き水Ｌ０が貯留することはないが、仮にあった場合でも、ドレン孔４６から排出される。
【００３６】
〈４．紙質ウェブの取り出し、仕上げ〉
このような作動が完了すると、前記漉き箱２内には、紙原料成分Ｐ０が紙質ウェブＰ１として漉き出される。作業者は、漉き出し作業が完了したことが確認すると、漉き箱２におけるクランプ２６を解除し、投入容器２２をヒンジ２３を中心に後方に倒伏させ、排水基箱２１内の漉き網２５上の紙質ウェブＰ１を露出させ、このものを適宜ピンセット等で一部を摘み上げて剥がし取り、別途作業台８等に並べる。
この紙質ウェブＰ１の状態では、未だ漉き水Ｌ０を充分含んでいることから、図７（ｇ）（ｈ）に示すようにその後の作業としては、作業台で、その水分を除去する作業をする。即ち、作業台８上、又はその上に充分な吸水性を有する吸水布８１等を拡げた上で、その上に紙質ウェブＰ１を置き、更にその上から別途吸水性を有する吸水布８１等を被せて、適宜これを丸棒状の押さえローラ８２等で押さえつけて、漉き水Ｌ０を搾り出すような作業を行う。この後、一日から数十時間かけて適宜乾燥を行い製品を得る。
【符号の説明】
【００３７】
Ａ      手作りシート作製用の紙漉き装置
１      機枠
１０    側部機枠
１１    棚部
１１Ａ  上棚
１１Ｂ  作業棚
１１Ｃ  下棚
１２    機枠材間スペース
２      漉き箱
２１    排水基箱
２２    投入容器
２３    ヒンジ
２４    パッキン
２５    漉き網
２５ａ  葉書用漉き網
２５ｂ  名刺用漉き網
２５ｄ  仕切り
２６    クランプ
２７    排水口
３      気水分離チャンバ
３１    チャンバ本体
３２    漉き水回収孔
３３    吸気孔
３４    気水分離体
３５    水位設定孔
３６    水位設定弁
３７    ドレントラフ
３８    ドレン孔
３９    漉き水戻し口
４      気水分離セイフティーチャンバ
４１    セイフティーチャンバ本体
４２    吸込孔
４３    吸出孔
４５    分離板
４６    ドレン孔
５      吸引手段
６      脱水容器
７      作動配管
７０    漉き水抜き管
７１    剰水排除管
７２    希釈液戻し管
７３    ドレン管
７５    吸引原管
７６    吸引作動管
８      作業台
８１    吸水布
８２    押さえローラ
Ｖ      作動弁装置
Ｖ１    希釈弁
Ｖ２    排出弁
Ｌ      原料液
Ｌ０    漉き水
Ｌ１    原料準備液
Ｌ２    希釈原料液
Ｐ      シート状製品
Ｐ０    紙原料成分
Ｐ１    紙質ウェブ
Ｐａ    葉書用シート
Ｐｂ    名刺用シート
Ｃ      定量カップ
【図１】
0003156039.tif 000003
【図２】
0003156039.tif 000004
【図３】
0003156039.tif 000005
【図４】
0003156039.tif 000006
【図５】
0003156039.tif 000007
【図６】
0003156039.tif 000008
【図７】
0003156039.tif 000009